(57)【要約】      （修正有）【課題】ミシン目線に沿って剥離部を容易に剥離することができるタグ用シールを提供する。【解決手段】タグに貼着可能なタグ用シール本体１０を有し、タグ用シール本体１０は、タグ用シール本体１０に形成されたミシン目線１０ａと、ミシン目線１０ａに沿って、タグ用シール本体１０より剥離可能な剥離部１２と、剥離部１２をタグ用シール本体１０より剥離する際、使用者が把持可能な把持部１２Ａとを有し、剥離部１２の裏面１２ｂには、糊止め（非粘着層１４）が施され、把持部１２Ａの裏面１２Ａａには、粘着性のない紙１５、又は、ＰＥＴシートが載置されている。【選択図】図２
0003223990.tif 000002
【実用新案登録請求の範囲】
【請求項１】
タグに貼着可能なタグ用シール本体を有し、
前記タグ用シール本体は、
前記タグ用シール本体に形成されたミシン目線と、
前記ミシン目線に沿って、前記タグ用シール本体より剥離可能な剥離部と、
前記剥離部を前記タグ用シール本体より剥離する際、使用者が把持可能な把持部と、を有し、
前記剥離部の一方の面には、糊止めが施され、
前記把持部の一方の面には、粘着性のない紙、又は、ＰＥＴシートが載置されてなるタグ用シール。
【請求項２】
前記剥離部の一方の面には、前記糊止めが施されていない部分が存在してなる請求項１に記載のタグ用シール。
【考案の詳細な説明】
【技術分野】
【０００１】
本考案は、商品の値札等として用いられるタグに貼着されるタグ用シールに関する。
【背景技術】
【０００２】
従来のタグ用シールとして、例えば、特許文献１に記載のようなものが知られている。このタグ用シールは、矩形形状からなると共に、ミシン目線が横方向に形成され、このミシン目線に沿って接着機能を停止しているものである。これにより、ミシン目線に沿って小ラベル部（剥離部）が滑らかに剥がれるというものである。
【先行技術文献】
【特許文献】
【０００３】
【特許文献１】特開２０１３−７６７９４号公報
【考案の概要】
【考案が解決しようとする課題】
【０００４】
しかしながら、上記のようなタグ用シールは、ミシン目線に沿って接着機能が停止しているものの、完全に接着機能が停止しておらず、僅かながら接着機能が存在している場合があり、もって、小ラベル（剥離部）が剥がれ難くなるといった問題があった。
【０００５】
そこで、本考案は、上記問題に鑑み、ミシン目線に沿って剥離部を容易に剥離することができるタグ用シールを提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１のタグ用シールによれば、タグに貼着可能なタグ用シール本体（１０）を有し、
前記タグ用シール本体（１０）は、
前記タグ用シール本体（１０）に形成されたミシン目線（１０ａ）と、
前記ミシン目線（１０ａ）に沿って、前記タグ用シール本体（１０）より剥離可能な剥離部（１２）と、
前記剥離部（１２）を前記タグ用シール本体（１０）より剥離する際、使用者が把持可能な把持部（１２Ａ）と、を有し、
前記剥離部（１２）の一方の面（裏面１２ｂ）には、糊止め（非粘着層１４）が施され、
前記把持部（１２Ａ）の一方の面（裏面１２Ａａ）には、粘着性のない紙（１５）、又は、ＰＥＴシートが載置されてなることを特徴としている。
【０００８】
また、請求項２の考案によれば、上記請求項１に記載のタグ用シールにおいて、前記剥離部（１２）の一方の面（裏面１２ｂ）には、前記糊止め（非粘着層１４）が施されていない部分（１４ａ）が存在してなることを特徴としている。
【考案の効果】
【０００９】
次に、本考案の効果について、図面の参照符号を付して説明する。なお、括弧内は、後述する実施形態の参照符号を付したものであるが、本考案はこれに限定されるものではない。
【００１０】
請求項１の考案によれば、剥離部（１２）の一方の面（裏面１２ｂ）には、糊止め（非粘着層１４）が施され、さらに、把持部（１２Ａ）の一方の面（裏面１２Ａａ）には、粘着性のない紙（１５）、又は、ＰＥＴシートが載置されている。これにより、使用者は、把持部（１２Ａ）を容易に把持することができるから、剥離部（１２）をミシン目線（１０ａ）に沿って容易に剥離することができる。
【００１１】
また、請求項２の考案によれば、剥離部（１２）の一方の面（裏面１２ｂ）には、糊止め（非粘着層１４）が施されていない部分（１４ａ）が存在しているから、タグに、剥離部（１２）を適度に貼着することができる。これにより、剥離部（１２）が引っ掛かったり、折れ曲がったり、意図せずちぎれてしまったり等の問題の発生を低減させることができる。
【図面の簡単な説明】
【００１２】
【図１】（ａ）は本考案の一実施形態に係るタグ用シールの平面図、（ｂ）は同実施形態に係る剥離部に印字されるＪＡＮコードの一例を示す図である。
【図２】（ａ）は本考案の一実施形態に係るタグ用シールの平面図を示すと共に、剥離部に形成されている非粘着層と非粘着層が形成されていない部分を示した平面図、（ｂ）は（ａ）に示すＸ−Ｘ線断面図、（ｃ）は（ａ）に示すＹ−Ｙ線断面図である。
【考案を実施するための形態】
【００１３】
以下、本考案の一実施形態を、図面を参照して具体的に説明する。なお、以下の説明において、上下左右の方向を示す場合は、図示正面から見た場合の上下左右をいうものとする。
【００１４】
図１（ａ）に示す本実施形態に係るタグ用シール１は、商品に吊り下げられているタグに貼着されて使用されるものである。例えば、輸入された商品に吊り下げられているタグには、外国語表記の表示シールが貼着されているため、その表示シールの上から日本語表記されたタグ用シール１を貼着することによって使用されるものである。
【００１５】
かくして、このようなタグ用シール１は、図１（ａ）に示すように、略矩形状のタグ用シール本体１０を有している。このタグ用シール本体１０は、商品に吊り下げられているタグに貼着されて使用されるもので、縦長矩形状の非剥離部１１と、横長略矩形状の剥離部１２と、で構成されている。この非剥離部１１は、図２（ｂ）に示すように、裏面１１ｂにシリコーン系ポリマー、ポリエステル等の粘着剤が積層された粘着層１３が施されている。これにより、商品に吊り下げられているタグに、非剥離部１１が貼着できることとなる。なお、非剥離部１１の表面１１ａ（図２（ｂ）参照）には、図示はしないが、例えば、上記例示した日本語表記されたものが印字されている。
【００１６】
一方、剥離部１２は、図１（ａ），図２（ａ）に示すように、非剥離部１１の下部１１ｃに形成されたミシン目線１０ａを介して、非剥離部１１に連なって設けられている。この剥離部１２の表面１２ａ（図２（ｃ）参照）には、例えば、図１（ｂ）に示すような、ＪＡＮコードが印字されている。このＪＡＮコードは、店舗管理用に保管・使用するものであるため、消費者が商品を購入時、店員が、ミシン目線１０ａに沿って、剥離部１２を剥離する必要がある。それゆえ、剥離部１２は、ミシン目線１０ａに沿って容易に剥離可能であることが望ましい。そこで、本実施形態においては、剥離部１２を以下のような構成としている。
【００１７】
すなわち、図２（ｃ）に示すように、剥離部１２の裏面１２ｂにシリコーン系ポリマー、ポリエステル等の粘着剤が積層された粘着層１３が施されている。そして、この粘着層１３の粘着性を不活性にするため（所謂、糊止め）、粘着層１３の裏面１３ａにメジウム印刷等を施すことによって非粘着層１４を形成している。
【００１８】
しかしながら、これだけでは、粘着層１３の粘着性を完全に不活性にできておらず、僅かながら粘着機能が残っている可能性があり、もって、剥離部１２がミシン目線１０ａに沿って容易に剥離できない可能性がある。そこで、本実施形態においては、図１（ａ），図２（ａ）に示すように、剥離部１２の右側部に一体的に形成されている半円状の把持部１２Ａを以下のような構成としている。
【００１９】
この把持部１２Ａは、ミシン目線１０ａに沿って剥離部１２を剥離する際、使用者（例えば、店員）が把持するものであって、図２（ｃ）に示すように、把持部１２Ａの裏面１２Ａａにシリコーン系ポリマー、ポリエステル等の粘着剤が積層された粘着層１３が施されている。そして、この粘着層１３の裏面１３ａには、粘着性のない紙１５が載置されている。これにより、把持部１２Ａの粘着力は、粘着性のない紙１５によって阻害（完全に停止）されるため、把持部１２Ａは、商品に吊り下げられているタグに貼着されることがない。それゆえ、使用者（例えば、店員）が把持部１２Ａを容易に把持することができるため、非粘着層１４に僅かながら粘着機能が残っていたとしても、剥離部１２をミシン目線１０ａに沿って容易に剥離することができる。
【００２０】
しかして、本実施形態によれば、ミシン目線１０ａに沿って剥離部１２を容易に剥離することができる。
【００２１】
他方で、剥離部１２に形成されている非粘着層１４によって、粘着層１３の粘着性を完全に不活性にできていた場合、剥離部１２が商品に吊り下げられているタグから浮いた状態となる。これにより、剥離部１２が引っ掛かったり、折れ曲がったり、意図せずちぎれてしまったり等の問題が発生する可能性がある。そこで、本実施形態においては、図２（ａ），（ｃ）に示すように、粘着層１３の粘着性を一部残しておくため、非粘着層１４を形成しない部分１４ａを設けるようにしている。この部分１４ａは、図２（ａ）に示すように、平面視円形状からなり、所定間隔置きに複数（図示では３箇所）設けられている。これにより、ミシン目線１０ａに沿って剥離部１２を剥離する前に、商品に吊り下げられているタグに、剥離部１２を適度に貼着することができる。しかして、このようにすれば、剥離部１２が引っ掛かったり、折れ曲がったり、意図せずちぎれてしまったり等の問題の発生を低減させることができる。なお、剥離部１２を適度に貼着したとしても、使用者（例えば、店員）が把持部１２Ａを容易に把持することができるため、剥離部１２をミシン目線１０ａに沿って容易に剥離することができる。
【００２２】
なお、本実施形態において示した形状等はあくまで一例であり、実用新案登録請求の範囲内において、種々の変形・変更が可能である。例えば、粘着性のない紙１５を粘着層１３の裏面１３ａに載置する例を示したが、それに限らず、ＰＥＴシートを載置するようにしても良い。このようにしても、使用者（例えば、店員）が把持部１２Ａを容易に把持することができるため、剥離部１２をミシン目線１０ａに沿って容易に剥離することができる。
【００２３】
また、本実施形態においては、非粘着層１４を形成しない部分１４ａの形状として、平面視円形状を例示したが、それに限らず、どのような形状でも良い。さらに、本実施形態においては、非粘着層１４を形成しない部分１４ａを複数設ける例を示したが、それに限らず、単数でも良い。
【００２４】
一方、本実施形態において示したタグ用シール１の形状は、あくまで一例であり、どのような形状でも良い。
【符号の説明】
【００２５】
１              タグ用シール
１０            タグ用シール本体
１０ａ          ミシン目線
１２            剥離部
１２ｂ          裏面（剥離部の一方の面）
１２Ａ          把持部
１２Ａａ        裏面（把持部の一方の面）
１４            非粘着層（糊止め）
１４ａ          非粘着層が施されていない部分
１５            粘着性のない紙
【図１】
0003223990.tif 000003
【図２】
0003223990.tif 000004